(57)【要約】【課題】磁気ディスク装置のヘッドアクチュエータに関し、ベアリングからのミスト状となったグリースの飛散を低減することを目的とする。【解決手段】軸受部１を介してシャフト２周りに回転自在に支持され、高速回転する磁気ディスク３上の所定位置に磁気ヘッドスライダ４をシークする磁気ディスク装置のヘッドアクチュエータ５であって、  前記軸受部１が、  内外輪６、７間の間隙の一方の開放端がラビリンスシール８により閉塞され、ラビリンスシール８端を背向させてシャフト２に固定される一対のベアリング９と、  ベアリング９間に配置され、磁性流体１０を使用した磁性シール部１１と、  を有する。【選択図】  図２
2007035084.tif 000002
【特許請求の範囲】
【請求項１】
軸受部を介してシャフト周りに回転自在に支持され、高速回転する磁気ディスク上の所定位置に磁気ヘッドスライダをシークする磁気ディスク装置のヘッドアクチュエータであって、
前記軸受部が、
内外輪間の間隙の一方の開放端がラビリンスシールにより閉塞され、ラビリンスシール端を背向させてシャフトに固定される一対のベアリングと、
ベアリング間に配置され、磁性流体を使用した磁性シール部と、
を有する磁気ディスク装置のヘッドアクチュエータ。
【請求項２】
前記磁性シール部が、ベアリング間に介装されるスペーサにより保持される請求項１記載の磁気ディスク装置のヘッドアクチュエータ。
【請求項３】
前記磁性シール部は、一対のベアリングの外輪間に挟まれて保持される請求項１記載の磁気ディスク装置のヘッドアクチュエータ。
【請求項４】
前記ベアリングの外輪側に１枚の磁極プレートが保持されるとともに、該磁極プレート、シャフトおよびベアリング内輪を磁路とする磁気回路により磁性流体が保持される請求項１、２または３記載の磁気ディスク装置のヘッドアクチュエータ。
【発明の詳細な説明】
【技術分野】
【０００１】
本発明は、磁気ディスク装置のヘッドアクチュエータに関するものである。
【背景技術】
【０００２】
磁気ディスク装置のヘッドアクチュエータとしては、特許文献１に記載のものが知られている。この従来例において、ヘッドアクチュエータは、シャフト周りにキャリッジが回転駆動可能に支持される。キャリッジには磁気ディスク上微少高さに浮上する磁気ヘッドスライダが固定され、キャリッジを回転駆動することにより磁気ヘッドスライダを磁気ディスク上でシーク動作させることができる。キャリッジの円滑な駆動を保障するために、キャリッジは一対のベアリングを介してシャフトに連結される。
【０００３】
しかし、上述した従来例において、ベアリングは周縁領域に開放されているために、ミスト状となったベアリングに使用しているグリースが、磁気ディスクの回転によって装置内部に発生した空気流と共にラビリンスシール内側から周囲に漏出することを防止できない。
【０００４】
一方、近時の記憶密度の上昇に伴う磁気ヘッドスライダの浮上高さの減少、磁気ヘッドスライダの微細化の下、ミスト状となったグリースの飛散はディスククラッシュ、あるいは磁気ヘッドスライダへのミスト状となったグリースの付着による読み取り精度の低下の原因となる。
【特許文献１】特開平７-３３４９２３号公報
【発明の開示】
【発明が解決しようとする課題】
【０００５】
本発明は、以上の欠点を解消すべくなされたものであって、両端のベアリング間隔を縮めることなく、ベアリング９からのミスト状となったグリースの飛散を低減することのできる磁気ディスク装置のヘッドアクチュエータ５の提供を目的とする。
【課題を解決するための手段】
【０００６】
ヘッドアクチュエータ５のキャリッジは一対のベアリング９を介してシャフト２周りに回転自在に装着される。各ベアリング９は、内外輪６、７間の一方の開放端がラビリンスシール８により閉塞されており、ラビリンスシール８端を背向させるようにしてシャフト２に固定される。
【０００７】
シャフト２にベアリング９を固定した状態で内外輪６、７間の間隙は両端がラビリンスシール８によりシールされており、ベアリング９に塗布されたグリースの拡散による飛散が防止される。また、磁性シール部１１は、上記内外輪６、７間の間隙を分割して該間隙内での空気の通過を防止する。
【０００８】
この結果、ラビリンスシール８におけるシール性能が比較的低いベアリング９内部を通過する空気循環によるグリースの飛散が有効に防止され、全体として高いシール性能を得ることができる。
【発明の効果】
【０００９】
本発明によれば、両端のベアリング間隔を縮めることなくベアリングからのミスト状となったグリースの飛散を低減することができる。
【発明を実施するための最良の形態】
【００１０】
図１に示すように、磁気ディスク装置はハブ３ａ周りに高速で回転駆動される磁気ディスク３と、ヘッドアクチュエータ５とを有する。ヘッドアクチュエータ５は、先端に磁気ヘッドスライダ４を保持したキャリッジ５ａをシャフト２周りに回転自在に支持して形成される。
【００１１】
キャリッジ５ａにはケース側との間にボイスコイルモータを形成するコイル５ｂが固定されており、コイル５ｂを励磁することによってキャリッジ５ａをシャフト２周りに回転駆動する。上記磁気ヘッドスライダ４は薄板ばね５ｃの先端に固定され、キャリッジ５ａの回転に伴って磁気ディスク３上の所望位置にシーク動作がなされる。
【００１２】
円滑なキャリッジ５ａの回転動作を得るために、キャリッジ５ａとシャフト２の回転境界にはベアリング９が取り付けられる。ベアリング９は、キャリッジ５ａの傾きを規制するためにアキシャル方向に２個配置され、各々、内輪６を圧入、あるいは接着してシャフト２に固定される。
【００１３】
上記各ベアリング９にはラビリンスシール８が形成される。ラビリンスシール８は外輪７側から突出するシール突条を内輪６側の凹溝に嵌合させて内外輪６、７間の間隙をシールする。上記ラビリンスシール８は、各ベアリング９の一方端のみに形成され、ベアリング９は、ラビリンスシール８端が互いに背向させてシャフト２に固定される。
【００１４】
上記ベアリング９の外輪７間には２個のスペーサ１２がアキシャル方向に積層されて配置され、さらに、両端のラビリンスシール８、およびスペーサ１２により形成されて囲まれるシャフト２周りの空洞を２室に区画するように磁性シール部１１が配置される。
【００１５】
磁性シール部１１は、板金によりリング形状に形成される２枚の磁極プレート１３と、磁石１１ａとを有する。磁石１１ａは磁極をアキシャル方向に向けて配置され、磁極プレート１３は両磁極に積層されるようにして配置される。
【００１６】
磁石１１ａおよび磁極プレート１３を配置した状態で磁石１１ａの両磁極、磁極プレート１３、およびシャフト２の間には磁気回路が構成され、内周縁がシャフト２に接触することなく近接するように内径寸法が管理された一方の磁極プレート１３とシャフト２との間隙に磁性流体１０が供給される。磁性流体１０は上述した磁気回路によって磁極プレート１３とシャフト２との間に発生する磁力により上記間隙に留まり、当該部位をシールする。
【００１７】
上記磁性シール部１１のラジアル方向の位置決め精度を高めるために、一方のスペーサ１２には磁極プレート１３の外周縁を規制する位置決め段差１２ａが形成される。
【００１８】
したがってこの実施の形態において、上下端がラビリンスシール８によりシールされた２個のベアリング９、９間の間隙は磁性シールにより区画されることにより各室間の空気の流通が禁止される。この結果、上記間隙を通過する空気流が発生することがなく、空気流に乗ったミスト状となったグリースのラビリンスシール８からの飛散が低減される。
【００１９】
図２（ｂ）に図２（ａ）の変形例を示す。なお、以下の説明において、上述した実施の形態と同一の構成要素は図中に同一符号を付して説明を省略する。
【００２０】
この変形例において、磁性シール部１１は、１枚の磁極プレート１３、磁石１１ａおよび磁性流体１０とから構成される。磁極プレート１３は、上述した実施の形態における一方の磁極プレート１３と同様に、内周縁がシャフト２の外周に非接触で近接する内径寸法を有しており、磁極プレート１３とシャフト２との間隙に磁性流体１０が供給される。磁性流体１０は磁極プレート１３、シャフト２、およびベアリング９の内輪６間に発生する磁場により捕捉されてシール機能を発揮する。
【００２１】
なお、以上においては、ベアリング９間にスペーサ１２を配置し、スペーサ１２間に磁性シール部１１を保持する構成を示したが、このほかに、図２（ｃ）に示すように、ベアリング９を変更することができる。
【００２２】
この変形例において、ベアリング９の外輪７の一端はアキシャル方向に延長され、ラビリンスシール８は非延長端に形成される。２個のベアリング９は、延長端を正対させ、すなわちラビリンスシール８端を背向させてシャフト２に固定される。磁性シール部１１は、１枚の磁極プレート１３、磁石１１ａおよび磁性流体１０とから構成され、磁極プレート１３とシャフト２との間隙に磁性流体１０が供給される。
【図面の簡単な説明】
【００２３】
【図１】本発明を示す図で、（ａ）はヘッドアクチュエータを示す図、（ｂ）は磁気ディスク装置を示す図である。
【図２】軸受部を示す図で、（ａ）は断面図、（ｂ）は（ａ）の変形例を示す断面図、（ｃ）は（ａ）の他の変形例を示す断面図である。
【符号の説明】
【００２４】
１        軸受部
２        シャフト
３        磁気ディスク
４        磁気ヘッドスライダ
５        ヘッドアクチュエータ
６        内輪
７        外輪
８        ラビリンスシール
９        ベアリング
１０      磁性流体
１１      磁性シール部
１２      スペーサ
１３      磁極プレート
【図１】
2007035084.tif 000003
【図２】
2007035084.tif 000004